(57)【要約】【課題】ケースを機器類から取り外したり分解したりすることなく、しかも、構造を複雑にしたり精度及び寿命を低下させたりすることなく、ボールをケースから容易に取り出して容易に清掃することができるトラックボールを提供する。【解決手段】ケース２１に取り付けられるリング２７には、ケースの開口部２２ａから下方に向かって延びる長さの異なる複数の保持アーム３１、３２を設ける。短寸の保持アーム３１はリングをケースに取り付けたとき、その先端がロータリーエンコーダの軸部２３ａ、２４ａよりも上方に位置するように形成し、長寸の保持アーム３２はリングをケースに取り付けたときその先端がロータリエンコーダの軸部２３ａ、２４ａよりも下方に位置するように形成する。そして、これら短寸の保持アームの先端及び長寸の保持アームの先端を通る仮想円がボール２６の最大外周円よりも小さくなるように形成する。【選択図】    図２
2004171439.tif 000002
【特許請求の範囲】
【請求項１】
内部にＸ軸用及びＹ軸用のロータリーエンコーダを収容し且つ上面に開口部を有するケースと、該ケースの開口部から一部が外部に露出するようにケース内に収容されてロータリーエンコーダの軸部に接触するボールと、ケースの開口部に係合して取り付けられてボールが該開口部から不用意に飛び出すのを防止するリングとを有するトラックボールにおいて、
前記リングには、前記ケースの開口部から下方に向かって延びる長さの異なる複数の保持アームを設け、
短寸の保持アームはリングをケースに取り付けたときその先端がロータリーエンコーダの軸部よりも上方に位置するように形成し、長寸の保持アームはリングをケースに取り付けたときその先端がロータリエンコーダの軸部よりも下方に位置するように形成し、
これら短寸の保持アームの先端及び長寸の保持アームの先端を通る仮想円がボールの最大外周円よりも小さくなるように形成したことを特徴とするトラックボール。
【請求項２】
請求項１記載のトラックボールにおいて、
前記ケースには、リングをケースに取り付けたとき前記長寸の保持アームの先端をボールから離間させるように受け入れる係合溝を形成していることを特徴とするトラックボール。
【請求項３】
請求項１又は２記載のトラックボールにおいて、
前記リングが前記ケースの開口部に設けられた係合部に係合可能な係合爪部を有し、この係合爪部はケースの開口部に挿入し所定角度回動させることにより係合部に係止可能であり、前記ケースには、前記リングの係合爪部を前記係合部と係合する位置から離脱位置へと回動させるとき該係合爪部をケースの開口部の外に向けて案内する傾斜案内部を設けたことを特徴とするトラックボール。
【発明の詳細な説明】
【０００１】
【発明の属する技術分野】
本発明はトラックボールに関し、更に詳しくは、トラックボールのボール取り出し構造に関する。
【０００２】
【従来の技術】
入力デバイスの１つであるトラックボールは、上面に開口部を有するケースと、該ケースの開口部から一部が外部に露出するようにケース内に収容されるボールと、ケースの開口部に係合して取り付けられてボールが開口部から不用意に飛び出すのを防止するリングとを有している。
【０００３】
一般に、リングはケースの開口部の内側に設けられた係合部と係合可能な係合爪部を有しており、この係合爪部をケースの開口部に挿入しリングを所定角度回動させることにより、係合爪部をケースの係合部に係止させることができるように構成されている。
【０００４】
ケース内ではボールは自重でＸ軸ロータリーエンコーダの軸部とＹ軸ロータリーエンコーダの軸部と、ガイドローラーとに接触しており、操作者が手でボールを回転させるとＸ軸ロータリーエンコーダとＹ軸ロータリーエンコーダが連動してボールの回転量をＸ−Ｙ座標移動量に変換することにより、表示画面上のカーソルを移動させることができるものとなっている。
【０００５】
ボールの表面に付着した塵、ホコリ等がＸ軸、Ｙ軸ロータリーエンコーダの軸部に移って堆積すると、ボールの回転がＸ軸、Ｙ軸ロータリーエンコーダの軸部に正確に伝達されなくなる。このため、ケースからリングを取り外してボールをケースの開口部から取り出し、ボールやＸ軸、Ｙ軸ロータリーエンコーダの軸部を時々清掃する必要がある。
【０００６】
しかし、リングをケースから取り外してもボールはその表面の半分以上がケース内に納まっているため、ボールの露出部分を指で掴もうとしても滑ってしまい、ケースから取り出すことが困難である。
【０００７】
デスク上に置いて用いる携帯型のトラックボールであれば、ケースを上下反転させてボールを取り出すことができるが、ケースが医療装置、測定装置等のような大型電子機器類に組み付けられているときは、ケースを簡単に上下反転させることができないため、ボールをケースから取り出すためには、ケースを分解する必要が生じ、面倒な作業が必要になる。
【０００８】
特開２００２−１８９５６２号公報には、トラックボールのボール取出し構造が記載されている。この公知技術は、図８及び図９に示すように、先端に突起２ａ、３ａを有する複数の保持アーム２、３をリング１からケース４内のボール５の中心位置よりも下方まで延びるように突出させて設けたものとなっており、保持アーム２、３の先端の突起２ａ、３ａを通る仮想円の直径をボール５の直径よりも小さく設定しておくことにより、リング１をケース４から取り外すときにボール５を保持アーム２、３間に保持させてリング１と一緒にケース４から取り出そうとするものである。
【発明が解決しようとする課題】
しかしながら、上記公知技術においては、上記したように、ケース４へのリング１の装着時に複数の保持アーム２、３がケース４内のボール５の中心部よりも下方まで延びる構成となっているため、リング１が上記したように所定角度回動してケース４に装着される構成のものであるときは、リング１の保持アーム２、３がＸ軸、Ｙ軸ロータリーエンコーダ６、７の軸部６ａ、７ａと干渉するという問題が生じる。
【０００９】
このため、上記公知技術の場合、保持アーム２、３との干渉を避けるためには、リング１を回転させずにケース４に取り付けるための特殊な係合機構を採用するか、或いは、図８及び図９中２点鎖線で示すように、ロータリーエンコーダ６、７の軸部６ａ、７ａをより低い位置でボールと接触させる必要がある。
【００１０】
しかし、リング１を回転させずにケース４に取り付けるための特殊な係合機構を採用すると、リング及びケースの構造が複雑となり、製造コストが高くなるという問題が生じる。
【００１１】
一方、ロータリーエンコーダ６、７の軸部６ａ、７ａをより低い位置にシフトさせた場合、ロータリーエンコーダ６、７の軸部６ａ、７ａが互いに干渉しやすくなり、軸部６ａ、７ａの端部を支持するブラケット８、９の設置スペースが狭くなるため、十分な軸部支持強度を確保することが困難となる。
【００１２】
また、ロータリーエンコーダ６、７の軸部６ａ、７ａがボール５の最大径部からより離れた位置でボール５と接触することになるため、ボール５によってロータリーエンコーダ６、７における一方の軸部のみを回転させたときにボール５が他方の軸部と摺動する奇跡が長くなり、摩擦が増えることとなって、早期に精度及び寿命の低下を来す原因となる。
【００１３】
したがって、本発明の目的は、ケースを機器類から取り外したり分解したりすることなく、しかも、構造を複雑にしたり精度及び寿命を低下させたりすることなく、ボールをケースから容易に取り出して容易に清掃することができるトラックボールを提供することにある。
【００１４】
【課題を解決するための手段】
上記課題を解決するために、本発明における第１の発明は、内部にＸ軸用及びＹ軸用のロータリーエンコーダを収容し且つ上面に開口部を有するケースと、該ケースの開口部から一部が外部に露出するようにケース内に収容されてロータリーエンコーダの軸部に接触するボールと、ケースの開口部に係合して取り付けられてボールが該開口部から不用意に飛び出すのを防止するリングとを有するトラックボールにおいて、前記リングには、前記ケースの開口部から下方に向かって延びる長さの異なる複数の保持アームを設け、短寸の保持アームはリングをケースに取り付けたときその先端がロータリーエンコーダの軸部よりも上方に位置するように形成し、長寸の保持アームはリングをケースに取り付けたときその先端がロータリエンコーダの軸部よりも下方に位置するように形成し、これら短寸の保持アームの先端及び長寸の保持アームの先端を通る仮想円がボールの最大外周円よりも小さくなるように形成したことを特徴とするトラックボールを提案する。
【００１５】
上記構成のトラックボールにおいては、ケースに係合して取り付けられるリングが、ケースの開口部から下方に向かって延びる長さの異なる複数の保持アームを有しており、これら短寸の保持アームの先端及び長寸の保持アームの先端を通る仮想円がボールの最大外周円よりも小さくなるように形成されているので、リングをケースから取り外すときに、短寸の保持アームの先端と長寸の保持アームの先端とによりボールを引っ掛けてケースの開口部からリングと一緒に取り出すことができる。
【００１６】
しかも、短寸の保持アームはリングをケースに取り付けたときその先端がロータリーエンコーダの軸部よりも上方に位置するように形成されており、一方、長寸の保持アームはリングをケースに取り付けたときその先端がロータリエンコーダの軸部よりも下方に位置するように形成されているので、長寸の保持アームは、リングをケースに取り付けたときにＸ軸用及びＹ軸用のロータリーエンコーダの軸部と干渉しない位置に配置するとともに、短寸の保持アームはＸ軸用又はＹ軸用のロータリーエンコーダの軸部の上に位置するように配置することができる。
【００１７】
したがって、リングを回動させてケースに取り付ける場合であっても、長寸及び短寸の保持アームがＸ軸用又はＹ軸用のロータリーエンコーダの軸部に突き当たるおそれのない構成とすることができる。
【００１８】
したがって、保持アームとロータリーエンコーダの軸部との干渉を回避するためにロータリーエンコーダの軸部を下方にシフトさせる必要がないため、軸部の支持強度が低下したり、軸部に対するボールの摩擦が増大して寿命が低下することを防止することができる。
【００１９】
また、本発明の第２の発明は、上記第１の発明に係るトラックボールにおいて、前記ケースには、リングをケースに取り付けたとき前記長寸の保持アームの先端をボールから離間させるように受け入れる係合溝を形成していることを特徴とするトラックボールを提案する。
【００２０】
上記構成のトラックボールにおいては、リングをケースに取り付けたとき、長寸の保持アームの先端がケースに設けた係合溝に係合することにより、長寸の保持アームをボールから離間した位置に保つことができるので、長寸の保持アームが不用意にボールに接触してボールの回転抵抗を高めたり、摩耗させたりすることを防止することができる。
【００２１】
さらに、本発明の第３の発明は、上記第１又は第２の発明に係るトラックボールにおいて、前記リングがケースの開口部に設けられた係合部に係合可能な係合爪部を有し、この係合爪部はケースの開口部に挿入し所定角度回動させることにより係合部に係止可能であり、前記ケースには、前記リングの係合爪部を前記係合部と係合する位置から離脱位置へと回動させるとき該係合爪部をケースの開口部の外に向けて案内する傾斜案内部を設けたことを特徴とするトラックボールを提案する。
【００２２】
上記構成のトラックボールにおいては、リングを回動させてケースに取り付けることができる構成を実現できるとともに、リングの係合爪部をケースの係合部に係合する位置から離脱位置へと回動させるとき、ケースに設けた傾斜案内部により該係合爪部をケースの開口部の外に向けて案内するので、リングをケースから取り外すときにリングが開口部から浮上し掴みやすくなって、リングの取り外し作業が楽になる。
また、リングをケースに取り付けるときに、長寸又は短寸の保持アームがケース内に沈み込みながら回動することとなるので、たとえリングの係合のための回動角度を大きくとっても、両保持アームの回動中にその先端がケース内部の構成部品等に干渉する虞れを一層少なくすることができる。
【００２３】
【発明の実施の形態】
以下、図面を参照して本発明の好ましい実施形態を説明する。
【００２４】
図１から図５までは本発明の一実施形態を示したものであり、図１はトラックボールのケース内部の平面図、図２は図１に示すトラックボールの図１中２−２線に沿った断面図である。
【００２５】
図３は図１及び図２に示すトラックボールのケースからリングとボールを取り外した状態を示す斜視図であり、図４は図１及び図２に示すトラックボールのリングの斜視図である。
図５はケースに対するリングの係合構造を示したものである。
【００２６】
はじめに図１及び図２を参照すると、本実施形態のトラックボールは、下ケース２１と上ケース２２とに分解可能なケース２０を備えており、下ケース２１の内部には、Ｘ軸用及びＹ軸用のロータリーエンコーダ２３、２４が収容されるとともに、図示しない回路基板が実装されるようになっている。
【００２７】
Ｘ軸用及びＹ軸用のロータリーエンコーダ２３、２４は互いに直角をなして下ケース２１内に回転可能に支持された軸部２３ａ、２４ａを有しており、これら軸部２３ａ、２４ａとガイドローラ２５とによってボール２６を回転可能に支持するものとなっている。
【００２８】
上ケース２２の上面にはボール２６を出し入れすることができる開口部２２ａが形成されており、ボール２６は、上ケース２２の開口部２２ａから一部が外部に露出するようにケース２０内に収容されている。
【００２９】
さらに、このトラックボールは、ケース２０の開口部２２ａに係合して取り付けられるリング２７を備えている。このリング２７はボール２６が不用意に飛び出すのを防止する役割を果たす。
【００３０】
すなわち、リング２７は、ボール２６の直径よりも小さい内径の開口部２７ａを有しており、この開口部２７ａはケース２０内のボール２６がケース２０内のロータリーエンコーダ２３、２４の軸部２３ａ、２４ａとガイドローラ２５とによって支持されているときは、図２に示すように、ボール２６の表面に対し非接触状態に保たれているが、ボール２６が不用意に浮上してもリング２７の開口部２７ａから外に飛び出すことがないように形成する。
【００３１】
図３から図５までに示すように、この実施形態においては、上ケース２２の開口部２２ａには２つの係合部２８、２８が該開口部２２ａの直径方向に対向して設けられており、これら２つの係合部２８、２８の位置に対応して、リング２７には、上ケース２２の係合部２８、２８に係合可能な２つの係合爪部２９、２９が設けられている。
【００３２】
図５（ａ）、（ｂ）、（ｃ）に示すように、リング２７の係合爪部２９は、上ケース２２の開口部２２ａに挿入して図３中時計方向に所定角度（例えば約２０°）回動させたとき、その先端に設けた突起部２９ａが係合部２８に形成した窪み部２８ａに係合することにより、係合部２８に対し係止状態に保たれるようになっている。
【００３３】
また、係合爪部２９が係合部２８に係合しているとき、リング２７に適度の力を加えてリング２７を図３中反時計方向に回動させると、係合爪部２９の突起部２９ａが係合部２８の窪み部２８ａから離脱し、係合爪部２９が係合部２８から離脱することにより、リング２７をケース２０から取り外すことができる。
【００３４】
さらに、本実施形態においては、上ケース２２にはリング２７の係合爪部２９を係合部２８と係合する位置（図５（ｃ）参照）から離脱位置（図５（ａ）参照）へと回動させるとき該係合爪部２９を上ケース２２の開口部２７ａの外に向けて案内する傾斜案内部３０が設けられている。
【００３５】
さらに、本実施形態においては、リング２７は樹脂成形品からなり、リング２７に、上ケース２２の開口部２２ａから下方に向かって延びる長さの異なる２つの保持アーム、すなわち、短寸の保持アーム３１と長寸の保持アーム３２が設けられている。
【００３６】
図２に示すように、短寸の保持アーム３１は、リング２７を上ケース２０に取り付けたとき、その先端３１ａがロータリーエンコーダ２３、２４の軸部２３ａ、２４ａよりも上方に位置するように形成されている。
【００３７】
一方、長寸の保持アーム３２は、リング２７を上ケース２２に取り付けたとき、その先端３２ａがロータリエンコーダ２３、２４の軸部２３ａ、２４ａよりも下方に位置するように形成されている。
【００３８】
これら短寸の保持アーム３１の先端３１ａ及び長寸の保持アーム３２の先端３２ａを通る仮想円（図２において直径Ｄ２の円）がボール２６の最大外周円（ボール２６の直径Ｄ１の円）よりも小さくなるように形成されている。
【００３９】
したがって、リング２７の短寸の保持ア−ム３１と長寸の保持ア−ム３２との間にボ−ル２６を入れておけば、リング２７を持ち上げたときに、短寸の保持ア−ム３１の先端３１ａ及び長寸の保持ア−ム３２の先端３２ａによりボ−ル２６を支えてリング２７と一緒にボ−ル２６を持ち上げることができる。
【００４０】
また、樹脂からなるこれら保持ア−ム３１、３２の弾性を利用してこれら保持ア−ム３１、３２を弾性変形させることにより、ボ−ル２６を保持ア−ム３１、３２の間から取り出したり入れたりすることができる。
【００４１】
さらに、この実施形態においては、長寸の保持ア−ム３２は、少なくともボ−ル２６の上下方向における最大径外周部よりも下方に延びる部分がほぼ一定厚みを有すると共に、ボ−ル２６の外表面に対しほぼ一定の隙間を介して円弧状に湾曲して延びている。
【００４２】
したがって、リング２７の長寸の保持ア−ム３２をケ−ス２０内で回動させたときに、長寸の保持ア−ム３２がケ−ス２０内の構成部品と干渉する可能性を最小限に抑えることができる。
【００４３】
さらに、この実施形態においては、短寸の保持ア−ム３１及び長寸の保持ア−ム３２の内面は、ボ−ル２６の直径よりも若干大きな球面の一部を形成する湾曲面となっている。
【００４４】
したがって、これら保持ア−ム３１、３２の間にボ−ル２６を保持して持ち上げるときに、ボ−ル２６を安定に保持することができる。
【００４５】
なお、短寸の保持ア−ム３１の先端３１ａ及び長寸の保持ア−ム３２の先端３２ａを通る仮想円（図２において直径Ｄ２の円）がボ−ル２６の最大外周円（ボ−ル２６の直径Ｄ１の円）よりも大きく形成されている場合であっても、リング２７が適度の弾性を有する場合は、リング２７を持ち上げるときにその弾性を利用して短寸の保持ア−ム３１の先端３１ａと長寸の保持ア−ム３２の先端３２ａとの間隔を狭めるように弾性変形させることにより、保持ア−ム３１、３２間にボ−ル２６を保持させてボ−ル２６をリング２７と一緒に持ち上げることができる。
【００４６】
さらに、この実施形態においては、図１、図２、図３に示すように、下ケース２１には、リング２７を上ケース２２に取り付けたとき長寸の保持アーム３２の先端３２ａをボール２６から離間させるように受け入れる係合溝３３が形成されている。
【００４７】
上記構成のトラックボールにおいては、ケース２０の上ケース２２に係合して取り付けられるリング２７が、上ケース２２の開口部２２ａから下方に向かって延びる長さの異なる２つの保持アームすなわち短寸の保持アーム３１と長寸の保持アーム３２を有しており、これら短寸の保持アーム３１の先端３１ａ及び長寸の保持アーム３２の先端３２ａを通る仮想円がボール２６の最大外周円よりも小さくなるように形成されているので、リング２７を上ケース２２から取り外すときに、短寸の保持アーム３１の先端１３ａと長寸の保持アーム３２の先端３２ａとによりボール２６を引っ掛けて上ケース２２の開口部２２ａからリング２７と一緒に取り出すことができる。
【００４８】
しかも、短寸の保持アーム３１はリング２７を上ケース２２に取り付けたときその先端３１ａがロータリーエンコーダ２３の軸部２３ａよりも上方に位置するように形成されている。
【００４９】
一方、長寸の保持アーム３２はリング２７を上ケース２２に取り付けたときその先端３２ａがロータリエンコーダ２３、２４の軸部２３ａ、２４ａと干渉しない位置に配置されるので、リング２７を回動させて上ケース２２に取り付ける場合であっても、長寸及び短寸の保持アーム３１、３２がＸ軸用又はＹ軸用のロータリーエンコーダ２３、２４の軸部２３ａ、２４ａに干渉するおそれのない構成とすることができる。
【００５０】
したがって、保持アーム３１、３２とロータリーエンコーダの軸部２３ａ、２４ａとの干渉を回避するためにロータリーエンコーダの軸部２３ａ、２４ａを下方にシフトさせる必要がないため、軸部２３ａ、２４ａの支持強度が低下したり、軸部２３ａ、２４ａに対するボール２６の摩擦が増大して寿命が低下することを防止することができる。
【００５１】
さらに、上記構成のトラックボールにおいては、リング２７を上ケース２２に取り付けたとき、長寸の保持アーム３２の先端３２ａが下ケース２１に設けた係合溝３３に係合することにより、長寸の保持アーム３２をボール２６から離間した位置に保つことができるので、長寸の保持アーム３２が不用意にボール２６に接触してボール２６の回転抵抗を高めたり、摩耗させたりすることを防止することができる。
【００５２】
さらに、上記構成のトラックボ−ルにおいては、リング２７の係合爪部２９を上ケース２２の係合部２８に係合する位置から離脱位置へと回動させるとき、上ケース２２に設けた傾斜案内部３０により該係合爪部２９を上ケース２２の開口部２２ａの外に向けて案内するので、リング２７を上ケース２２から取り外すときにリング２７が開口部２２ａから浮上し掴みやすくなって、リング２７の取り外しが容易となる。
【００５３】
また、リング２７を上ケース２２に取り付けるときに、長寸又は短寸の保持アーム３１、３２がケース２０内に沈み込みながら回動することとなるので、たとえリング２７の係合のための回動角度を大きくとったとしても、両保持アーム３１、３２の回動中にその先端３１ａ、３２ａがケース２０の内部の構成部品等に干渉する虞れを一層少なくすることができる。
【００５４】
図６及び図７は本発明の他の実施形態を示したものである。これらの図において、上記実施形態と同様の構成要素には同一の参照符号が付してある。
【００５５】
図６及び図７に示す実施形態は、下ケース２１において、長寸の保持アーム３２の先端３２ａを受け入れる係合溝を省略したものであり、他の構成は上記実施形態と同様である。
したがって、この実施形態においても本発明の所期目的を達成するこができる。
【００５６】
以上図示実施形態につき説明したが、本発明は上記実施形態の態様のみに限定されるものではなく、特許請求の範囲に記載した範囲内でその構成要素に種々の変更を加えることができる。
【００５７】
例えば、上記実施形態においては、短寸の保持アーム及び長寸の保持アームが各々１つであるが、各々を複数個にしてもよい。
また、上記実施形態においては、上ケースと下ケースとが分解可能であるが、両者を一体化してもよい。
【００５８】
さらに、上記実施形態においては係合部及び係合爪部が各々２つ設けられているが、３つ以上としてもよい。
さらに上記実施形態においては、上ケースに傾斜案内部が設けられているが、この傾斜案内部を省略してもよい。
【００５９】
さらに、上記実施形態においては、短寸の保持アーム３１が長寸の保持アーム３２の約半分程度の長さを有しているが、上記したＤ１＜Ｄ２の関係を保つ範囲内において、短寸の保持アーム３１の長さを可能な限り短くすることができる。
【００６０】
【発明の効果】
以上の説明から明らかなように、本発明によれば、ケースを機器類から取り外したり分解したりすることなく、しかも、構造を複雑にしたり精度及び寿命を低下させたりすることなく、ボールをケースから容易に取り出して容易に清掃することができるトラックボールを提供することができる。
【図面の簡単な説明】
【図１】本発明の一実施形態を示すトラックボールのケース内部の平面図である。
【図２】図１に示すトラックボールの図１中２−２線に沿った断面図である。
【図３】図１及び図２に示すトラックボールのケースからリングとボールを取り外した状態を示す斜視図である。
【図４】図１及び図２に示すトラックボールのリングの斜視図である。
【図５】（ａ）、（ｂ）、（ｃ）はそれぞれケースに対するリングの係合構造及び係合手順を示す説明図である。
【図６】本発明の他の実施形態を示すトラックボールのケース内部の平面図である。
【図７】図６に示すトラックボールの図６中７−７線に沿った断面図である。
【図８】トラックボールの従来例を示すケース内部の平面図である。
【図９】図８に示すトラックボールの図８中９−９線に沿った断面図である。
【符号の説明】
２０    ケース
２１    下ケース
２２    上ケース
２２ａ    上ケースの開口部
２３、２４    ロータリーエンコーダ
２３ａ、２４ａ    軸部
２５    ガイドローラ
２６    ボール
２７    リング
２７ａ  リングの開口部
２８    係合部
２８ａ    窪み部
２９    係合爪部
２９ａ    突起部
３０    傾斜案内部
３１    短寸の保持アーム
３１ａ    先端
３２    長寸の保持アーム
３２ａ  先端
３３    係合溝
Ｄ１    ボールの直径
Ｄ２    保持アームの先端を通る円の直径
【図１】
2004171439.tif 000003
【図２】
2004171439.tif 000004
【図３】
2004171439.tif 000005
【図４】
2004171439.tif 000006
【図５】
2004171439.tif 000007
【図６】
2004171439.tif 000008
【図７】
2004171439.tif 000009
【図８】
2004171439.tif 000010
【図９】
2004171439.tif 000011